(57)【要約】【課題】カードプリンタに対しカードを容易にセットでき、且つ、大型化を抑制しながらカードをカードプリンタに供給することが可能となるカード収納ユニットを提供する。【解決手段】本発明にかかるカード収納装置２０は、カードプリンタ５０に組み込まれるものであって、複数のカードＣが収納されたカードマガジン１０が挿入されるマガジンホルダ２１と、マガジンホルダ２１が保持されるホルダ保持台２２と、を備え、マガジンホルダ２１は、ホルダ保持台２２に保持されたときに、その正面側下方端部に設けられた回動軸を中心として回動させることにより、正面側に傾斜可能となる。【選択図】図１７
2020129194.tif 000002
【特許請求の範囲】
【請求項１】
カードプリンタに供給するためのカードを収納するカード収納装置であって、
複数のカードが収納されたカードマガジンが挿入されるマガジンホルダと、
前記マガジンホルダが保持されるホルダ保持台と、を備え、
前記マガジンホルダは、前記ホルダ保持台に保持されたときに、前記マガジンホルダの正面側下方端部に設けられた回動軸を中心として回動させることにより、正面側に傾斜可能となる
カード収納装置。
【請求項２】
請求項１に記載のカード収納装置であって、
前記マガジンホルダは、底床部と、前記底床部の正面側端部の下方又は正面側方向において左右方向に延びるとともに前記回動軸を構成する回動軸部と、を有し、
前記ホルダ保持台は、前記回動軸部を受ける回動軸受部を有し、
前記マガジンホルダは、前記回動軸部を中心として回動して正面側に傾斜可能となる
カード収納装置。
【請求項３】
請求項１又は２に記載のカード収納装置であって、
前記ホルダ保持台は、正面側に傾斜する前記マガジンホルダを、前記マガジンホルダが所定の角度で傾いている状態で、支持するホルダ支持部を有するカード収納装置。
【請求項４】
請求項１から３のいずれか１つに記載のカード収納装置であって、
前記マガジンホルダ及び前記ホルダ保持台に、前記マガジンホルダの前記回動軸を中心とした回動を規制するロック状態と、その規制が解除されたロック解除状態と、をとるロック機構が設けられているカード収納装置。
【請求項５】
請求項１から４のいずれか１つに記載のカード収納装置であって、
前記カードマガジンは、取り外すことにより前記カードマガジンの背面側の側壁部に設けられた上下方向に延びる開口である第１スリットを形成する易開封性部を有し、
前記マガジンホルダは、その背面側の側壁部に設けられた上下方向に延びる開口である第２スリットを有し、
前記カードマガジンが前記マガジンホルダに挿入されたとき、背面視において、前記第１スリットが前記第２スリットの内側の領域内に含まれる
カード収納装置。
【請求項６】
請求項１から５のいずれか１つに記載のカード収納装置と、
前記カード収納装置の外部から前記カードを吸着する吸着部を有し、前記吸着部が上下方向及び水平方向に移動可能なカード移送機構と、を有する
カード供給装置。
【請求項７】
請求項５に記載のカード収納装置と、
前記カード収納装置の外部から前記第２スリット及び前記第１スリットを通して前記カードマガジンまで延びるアーム、及び、前記アームの先端に設けられ、前記カードを吸着する吸着部を有し、前記吸着部が上下方向及び水平方向に移動可能なカード移送機構と、を有する
カード供給装置。
【請求項８】
請求項６又は７に記載のカード供給装置と、
前記カード供給装置から供給される前記カードを搬送するカード搬送部と、
前記カード搬送部によって搬送される前記カードに情報を印刷する印刷部と、を有する
カードプリンタ。
【発明の詳細な説明】
【技術分野】
【０００１】
本発明は、例えば偽造、変造防止等の安全性（セキュリティ）が要求されるカード等を製造するためのカードプリンタ、並びに、これに組み込まれるカード収納装置及びカード供給装置に関する。
【背景技術】
【０００２】
セキュリティが要求されるカードとして、身分証明書カード（ＩＤカード）やクレジットカード等が挙げられる。このようなカードは、セキュリティの確保のための図柄等を印刷する前段の印刷工程と、文字等を印刷する後段の印刷工程とを経て作成される場合がある。
【０００３】
前段の印刷工程で行う印刷としては、例えば、すかし印刷、マイクロ文字印刷、レインボー印刷、パール印刷等が挙げられる。また、ＩＣチップ付きのカードを製造する際には、ＩＣチップを内蔵する印刷前のカードを作成した後に、前段の印刷工程及び後段の印刷工程を行う場合もある。
【０００４】
上記のように前段の印刷工程と後段の印刷工程とが行われる場合、通常、前段の印刷工程を行うカードプリンタと、後段の印刷工程を行うカードプリンタは別々の装置として構成される。この場合、前段の印刷工程によって印刷を施されたカードを、後段のカードプリンタにセットする作業が生じる。
【０００５】
特許文献１には、ＩＣチップを内蔵する複数枚の印刷前のカードを収納した容器を直接的に装着し、容器からカードプリンタの印刷部にカードを順次供給するカードプリンタが開示されている。
【０００６】
上記カードプリンタでは、カードをカードプリンタに対してセットする作業が容易になるが、単にカードを収納するだけでなく、カードプリンタへの装着のための構造を有する専用の容器が必要になるため、容器コストが多くかかってしまう。この点を考慮して、容器を再利用したとしても、容器の回収費用、その後の検査、洗浄等が必要になるため、大幅なコスト低減は期待できない。
【０００７】
一方で、本出願人は、廉価に形成され得るカード包装容器と、このカード包装容器を収納するホルダと、カード包装容器を収納した状態のホルダをカードプリンタに装着するためのアダプタと、を備える装置を特許文献２において提案している。この装置では、ホルダとアダプタが必要になるが、カード包装容器は簡易的に形成され得るため長期的に使用する際にコストメリットが得られる。
【先行技術文献】
【特許文献】
【０００８】
【特許文献１】特開２００５−３３９４２９号公報
【特許文献２】特開２０１８−７７７８１号公報
【発明の概要】
【発明が解決しようとする課題】
【０００９】
特許文献２の装置をカードプリンタに装着する際には、カード包装容器が上方からホルダ内に収納された上で、アダプタが上方からホルダに取り付けられ、このアセンブリが反転された後、アダプタがカードプリンタのカード装着部に上方から装着される。しかしながら、このような作業には、手間がかかる場合がある。
【００１０】
本発明は上記実情に鑑みてなされたものであり、カードプリンタに対しカードを容易にセットでき、且つ、大型化を抑制しながらカードをカードプリンタに供給することが可能となるカード収納装置、カード供給装置及びカードプリンタを提供することを目的とする。
【課題を解決するための手段】
【００１１】
上記課題を解決するために、本発明のカード収納装置は、カードプリンタに供給するためのカードを収納するカード収納装置であって、複数のカードが収納されたカードマガジンが挿入されるマガジンホルダと、前記マガジンホルダが保持されるホルダ保持台と、を備え、前記マガジンホルダは、前記ホルダ保持台に保持されたときに、前記マガジンホルダの正面側下方端部に設けられた回動軸を中心として回動させることにより、正面側に傾斜可能となっている。
【００１２】
また、前記カード収納装置は、前記マガジンホルダが、底床部と、前記底床部の正面側端部の下方又は正面側方向において左右方向に延びるとともに前記回動軸を構成する回動軸部と、を有し、前記ホルダ保持台が、前記回動軸部を受ける回動軸受部を有し、前記マガジンホルダが、前記回動軸部を中心として回動して正面側に傾斜可能となっていてもよい。また、前記ホルダ保持台は、正面側に傾斜する前記マガジンホルダを、前記マガジンホルダが所定の角度で傾いている状態で、支持するホルダ支持部を有していてもよい。
【００１３】
また、前記カード収納装置は、前記マガジンホルダ及び前記ホルダ保持台に、前記マガジンホルダの前記回動軸を中心とした回動を規制するロック状態と、その規制が解除されたロック解除状態と、をとるロック機構が設けられていてもよい。
【００１４】
また、前記カード収納装置は、前記カードマガジンが、取り外すことにより前記カードマガジンの背面側の側壁部に設けられた上下方向に延びる開口である第１スリットを形成する易開封性部を有し、前記マガジンホルダが、その背面側の側壁部に設けられた上下方向に延びる開口である第２スリットを有し、前記カードマガジンが前記マガジンホルダに挿入されたとき、背面視において、前記第１スリットが前記第２スリットの内側の領域内に含まれていてもよい。
【００１５】
本発明のカード供給装置は、前記カード収納装置と、前記カード収納装置の外部から前記カードを吸着する吸着部を有し、前記吸着部が上下方向及び水平方向に移動可能なカード移送機構と、を有する。また、前記カード供給装置は、前記カード収納装置と、前記カード収納装置の外部から前記第２スリット及び前記第１スリットを通して前記カードマガジンまで延びるアーム、及び、前記アームの先端に設けられ、前記カードを吸着する吸着部を有し、前記吸着部が上下方向及び水平方向に移動可能なカード移送機構と、有していてもよい。
【００１６】
本発明のカードプリンタは、カード供給装置と、前記カード供給装置から供給される前記カードを搬送するカード搬送部と、前記カード搬送部によって搬送される前記カードに情報を印刷する印刷部と、を有する。
【発明の効果】
【００１７】
本発明によれば、カードプリンタに対しカードを容易にセットでき、且つ、装置の大型化を抑制しながらカードをカードプリンタに供給することが可能となる。
【図面の簡単な説明】
【００１８】
【図１】本実施形態のカード供給装置を備えるカードプリンタを概略的に示す正面図である。
【図２】本実施形態のカード収納装置の斜視図である。
【図３】本実施形態のカード収容装置を構成するユニットを分離した状態を示す斜視図である。
【図４】本実施形態のカードマガジンの背面側の斜視図である。
【図５】本実施形態のマガジンホルダの正面側の斜視図である。
【図６】本実施形態のマガジンホルダの背面側の斜視図である。
【図７】本実施形態のカードマガジンを収納するマガジンホルダの背面側の斜視図である。
【図８】本実施形態のカード供給装置を概略的に示す正面図である。
【図９Ａ】本実施形態のカード供給装置を概略的に示す縦断面図であり、図８のＡ−Ａ断面を示すものである。
【図９Ｂ】本実施形態のカード供給装置を概略的に示す縦断面図であり、図８のＡ−Ａ断面を示すものである。
【図１０】本実施形態のホルダ保持台の右側面図である。
【図１１】本実施形態のホルダ保持台を概略的に示す上面図である。
【図１２】本実施形態のホルダ保持台にマガジンホルダが装着された状態を示す右側面図である。
【図１３】本実施形態のホルダ保持台にマガジンホルダが装着された状態を示す背面図である。
【図１４】本実施形態のマガジンホルダがホルダ保持台に装着されている状態を概略的に示す底面図である。
【図１５】本実施形態のカード収納装置のロック機構を概略的に示す斜視図である。
【図１６Ａ】本実施形態のカード収納装置においてマガジンホルダを正面側に倒す動作を示す右側面図である。
【図１６Ｂ】本実施形態のカード収納装置においてマガジンホルダを正面側に倒す動作を示す右側面図である。
【図１７】本実施形態のカード収納装置にカードマガジンを装着する態様を示す右側面図である。
【図１８Ａ】本実施形態のカード収納装置からマガジンホルダを取り外す態様を示す右断面図である。
【図１８Ｂ】本実施形態のカード収納装置からマガジンホルダを取り外す態様を示す右断面図である。
【図１９Ａ】本実施形態のカード収納装置のより詳細な構成を示す右側面図である。
【図１９Ｂ】本実施形態のカード収納装置のより詳細な構成を示す右側面図である。
【発明を実施するための形態】
【００１９】
以下、本発明の一実施の形態（以下、「本実施形態」という。）について図面を参照しつつ説明する。
【００２０】
まず、本実施形態のカード供給装置４０が組み込まれるカードプリンタ５０について説明する。
【００２１】
図１は、本実施形態のカードプリンタ５０を概略的に示す正面図である。
【００２２】
図１を含む以下の図中及び以下の説明において、理解を容易にするために、水平面内において互いに直交する２方向をＸ方向及びＹ方向とし、垂直方向、つまり、Ｘ方向及びＹ方向に直交する方向をＺ方向とする。Ｘ方向は、図１の左右方向とし、右方向を＋Ｘ方向、左方向を−Ｘ方向とする。Ｙ方向は、図の１の紙面手前奥方向とし、手前側から奥側への方向を＋Ｙ方向とし、奥側から手前側への方向を−Ｙ方向とする。Ｚ方向は、図１の上下方向であり、上方向を＋Ｚ方向とし、下方向を−Ｚ方向とする。また、以下の説明において、Ｚ方向を垂直方向又は縦方向といい、ＸＹ面の面内方向を水平方向又は横方向ということもある。また、カードプリンタ５０の図１における奥側から手前側へ向かう方向（つまり、−Ｙ方向）を正面側方向といい、その反対である手前側から奥側へ向かう方向（つまり、＋Ｙ方向）を背面側方向とする。
【００２３】
このカードプリンタ５０は、例えば、カード使用者の個人情報が書き込まれたＩＣカードを作成することが可能な装置であるが、その他の種類のカードを作成するために使用されるものであってもよい。
【００２４】
図１に示すように、カードプリンタ５０は、カードＣを収納及び供給するカード供給装置４０と、カードプリンタ５０内においてカードＣをベルトコンベアなどにより搬送するカード搬送部５３と、カードＣを反転させるカード反転装置５４と、カードＣに顔写真や文字情報などを印刷する情報印刷部５５と、カードＣに透明保護層を付与する透明保護層付与部５６と、を有している。
【００２５】
カード供給装置４０は、予め枚葉状にカットされた複数枚のカードＣを収納するカード収納装置２０と、カード収納装置２０に収納されているカードＣをカードプリンタ５０のカード搬送部５３まで移送するカード移送機構３０と、を有している。図１に示す例では、カード供給装置４０は、４つのカード収納装置２０を有している。この４つのカード収納装置２０は、それぞれ異なる種類のカードを収納している。
【００２６】
カード収納装置２０に収納されているカードは、印刷が施される面（例えば、顔写真を記録する面）を下に向け、印刷が施されない面を上に向けて、積層されている。より詳しく説明すると、カードＣは、支持体と受像層とからなり、支持体が上に向けられ、受像層が下に向けられた状態でカードＣがストックされる。カード移送機構３０は、カードＣを、選択されたカード収納装置２０から所定のタイミングで１枚ずつ上方に取り出し、カードプリンタ５０のカード搬送部５３に自動供給する。
【００２７】
カード収納装置２０から取り出されたカードＣは、まず、カード移送機構３０により、印刷を施されない面を上方に向けられた状態でカード搬送部５３に置かれる。その後、カードＣは、カード搬送部５３によって反転装置５４に送られ、カード反転装置５４によって反転された後、情報印刷部５５に供給される。本実施形態では、カードＣが情報印刷部５５内で上方から印刷を施されるため、上述したカード反転装置５４が設けられる。
【００２８】
なお、カードＣは、カード収納装置２０において印刷を施される面を上に向けてストックされてもよく、この場合には、カード反転装置５４は設けられなくてもよい。ただし、後述の印刷不良の発生を抑制するために、カードＣは、カード収納装置２０において印刷を施される面を下に向けてストックされていることが好ましい。
【００２９】
情報印刷部５５は、昇華印刷ユニット５５ａと、溶融印刷ユニット５５ｂと、を有している。昇華印刷ユニット５５ａは、カードＣが移動されている間に、Ｙ印刷（イエロー印刷）、Ｍ印刷（マゼンタ印刷）、Ｃ印刷（シアン印刷）及びＯＰ印刷（オーバープリント印刷）などにより、その受像層の所定領域にカード使用者の顔写真等の諧調を有する画像を印刷する。溶融印刷ユニット５５ｂは、文字リボン等の熱転写シートによる熱転写で、その氏名やカード発行日等の認証識別情報を印刷する。
【００３０】
透明保護層付与部５６では、転写箔カセット（図示せず）が配置され、この転写箔カセットに対応して熱転写ヘッド（図示せず）が配置されている。そして、この透明保護層付与部５６によって、カードＣ上に透明保護層が設けられる。
【００３１】
次に、カード収納装置２０について説明する。
【００３２】
図２は、本実施形態のカード収納装置２０の斜視図である。図３は、本実施形態のカード収納装置２０を構成するユニットを分離した状態を示す斜視図である。
【００３３】
カード収納装置２０は、カードマガジン１０を収納するマガジンホルダ２１と、カードプリンタ５０に固定され、マガジンホルダ２１が保持されて装着されるホルダ保持台２２と、を有する。カードマガジン１０は、複数のカードＣを上下方向に積層して収納するカード包装容器である。マガジンホルダ２１は、ホルダ保持台２２に着脱自在に装着されるとともに、カードマガジン１０を所定位置に保持した状態で収納する。ホルダ保持台２２は、ホルダ保持台２２に保持されたマガジンホルダ２１がマガジンホルダ２１の正面側下方端部に設けられた回動軸を中心として回動することができるように、つまり、ホルダ保持台２２に保持されたマガジンホルダ２１を正面側に傾けて倒すことができるように、構成されている。
【００３４】
図４は、本実施形態のカードマガジン１０の背面側の斜視図である。
【００３５】
カードマガジン１０は、マガジン本体１０Ｂと、マガジン本体１０Ｂの上方に設けられた第１開口１０Ａと、フラップ１０Ｃ，１０Ｄと、挿入孔１０ＣＡ，１０ＤＡと、を有する。また、マガジン本体１０Ｂは、背面側の側壁部に設けられ、マガジン本体１０Ｂから容易に取り外すことが可能な部分又は部材である易開封性部１００を有している。
【００３６】
カードマガジン１０の材料は、特に限定されないが、樹脂製が好ましく、プラスチック製がより好ましい。特に、軽量且つ折り畳み可能な軟質のプラスチックで成形したカードマガジン１０は、使用前及び使用後のカードマガジン１０の保管スペース及び輸送コスト、並びに、廃棄コストを抑えることができる。
【００３７】
カードマガジン１０は、上方に開口する第１開口１０Ａを設けられ、マガジンホルダ２１に収納される前の状態において複数のカードＣを第１開口１０Ａから上下方向に積層して収納可能となっている。図４に示すように、カードマガジン１０は、上述の第１開口１０Ａを含むマガジン本体１０Ｂと、第１開口１０Ａの周縁に折り曲げ自在に接続された折曲部としてのフラップ１０Ｄ，１０Ｃとを有している。
【００３８】
２つのフラップ１０Ｃ，１０Ｄは、第１開口１０Ａを挟んで対向する位置関係にある。図４に示す例では、一方のフラップ１０Ｃは、カードマガジン１０の蓋として機能するものとなっている。この場合、他方のフラップ１０Ｄを第１開口１０Ａ側に折り込んだ後に蓋として機能するフラップ１０Ｃを第１開口１０Ａ側に折り込むことで、第１開口１０Ａを閉鎖することが可能となる。また、図４に示すカードマガジン１０においては、マガジン本体１０Ｂに、第１開口１０Ａの周縁から下方に延びる易開封性部１００が形成されている。
【００３９】
易開封性部１００は、マガジン本体１０Ｂから容易に取り外すことが可能な部分又は部材であって、取り外された際に、背面側に開口し且つ上下方向に延びる第１スリット１００Ａを形成するか又は開口させるように構成されている。本実施形態では、図４の破線Ｌ１で囲まれる部分が易開封性部１００に対応しており、易開封性部１００が取り外された際には、破線Ｌ１で囲まれた部分に対応する形状の第１スリット１００Ａが形成される。
【００４０】
後述の図７に示すマガジンホルダ２１に収納された状態のカードマガジン１０においては、易開封性部１００が取り外されており、第１スリット１００Ａが形成されている。第１スリット１００Ａは、第１開口１１Ａから下方に長尺状に延びている。なお、易開封性部１００は、マガジンホルダ２１にカードマガジン１０を収納する前に取り外しても良いが、カードマガジン１０のマガジンホルダ２１への装填容易性、及び、カードマガジン１０内に収納されたカードＣの落下防止性を考慮すると、マガジンホルダ２１にカードマガジン１０を収納した後に取り外す方が好ましい。
【００４１】
本実施形態における易開封性部１００は、カードマガジン１０上において破線Ｌ１の箇所に位置するミシン目によって区画される区域によって形成されている。ここで、カードマガジン１０は、前述のとおり、好ましくは樹脂製、より好ましくはプラスチック製となっている。カードマガジン１０がプラスチック製である場合、易開封性部１００の取り外しの容易化を考慮すると、易開封性部１００を規定するミシン目はマイクロミシン目であることが好ましく、具体的には、０．２５ｍｍ以上０．３５ｍｍ以下のスリット状の貫通部分と、０．１５ｍｍ以上０．２５ｍｍ以下の非貫通部分とが線状に交互に並ぶように形成されるミシン目であることが好ましい。
【００４２】
また、本実施形態では、易開封性部１００の第１開口１０Ａ側とは反対の側の端部が、先細りの三角形状に形成されている。この場合、第１開口１０Ａ側から下方に易開封性部１００を引っ張ることにより、下方の一方向のみに力をかけることで易開封性部１００を取り外すことができるため、取り外し時の作業性を向上でき、またミシン目以外の部分が裂けるような開口不良も抑制することができる。なお、易開封性部１００の端部の形状が半円形などであっても同様の効果が得られる。さらに、易開封性部１００の第１開口１０Ａ側は開封後の角部で手を切らないようにＲ形状やテーパ形状にしても良く、ミシン目と第１開口１０Ａが交差する部分に、誘導するための切込みを入れておいても良い。
【００４３】
なお、本発明の易開封性部１００は、ミシン目によって区画される領域によって形成されるものに限定されず、第１スリット１００Ａを閉じるようにカードマガジン１０に粘着されるテープ等であってもよい。ただし、ミシン目は部材を増加させることなく形成できることから、本発明の易開封性部１００は、ミシン目によって区画される領域によって形成されるものが好ましい。
【００４４】
図４に示すように、マガジン本体１０Ｂは第１開口１０Ａを上方に向けた状態で有底筒状をなす。このような第１開口１０Ａが上方に向く状態を基準として、本実施形態では、マガジン本体１０Ｂにおいて第１開口１０Ａに対向して位置する床部を底床部１０Ｅと呼び、底床部１０Ｅから立ち上がり、その先端に第１開口１０Ａを含む壁部を側壁部と呼ぶものとする。また、正面側の側壁部、背面側の側壁部、左側面側の側壁部及び右側面側の側壁部を、それぞれ、正面側壁部、背面側壁部、左側壁部及び右側壁部と呼ぶものとする。以下においては、本実施形態におけるカードマガジン１０の構成について更に詳述する。
【００４５】
カードマガジン１０の側壁部は横断面視で長方形状に形成され、側壁部の先端部分が形成する第１開口１０Ａの周縁は、一対の長辺部と、一対の長辺部の両端部を連結する一対の短辺部とで構成される。カードＣも長方形状であり、カードマガジン１０内に収納される際には、その長手方向をマガジン本体１０Ｂにおける側壁部の長手方向に沿わせた状態で収納される。
【００４６】
本実施形態では、第１開口１０Ａの周縁の一対の短辺部のうちの一方に、易開封性部１００が設けられている。また、一対の長辺部のうちの一方に、フラップ１０Ｃが接続され、他方に、フラップ１０Ｄが接続されている。つまり、本実施形態のカードマガジン２１は、左側壁部の上端部に接続されたフラップ１０Ｄと、右側壁部の上端部に接続されたフラップ１０Ｃと、を有している。
【００４７】
また、本実施形態では、フラップ１０Ｃのうちの第１開口１０Ａの周縁に近接した部分に挿入孔１０ＣＡが設けられるとともに、フラップ１０Ｄのうちの第１開口１０Ａの周縁に近接した部分に挿入孔１０ＤＡが設けられている。挿入孔１０ＣＡ，１０ＤＡの形状は特に限られるものではないが、本実施形態では、挿入孔１０ＣＡ，１０ＤＡがそれぞれ、第１開口１０Ａの長辺部に沿って延びるスリット状に形成されている。これら挿入孔１０ＣＡ，１０ＤＡには、後述の図７に示すように、マガジンホルダ２１に設けられた後述の突起２１Ｃ，２１Ｄが挿入される。なお、カードマガジン１０の落下時等における挿入孔１０ＣＡ，１０ＤＡを起点した破損を抑制するために、挿入孔１０ＣＡ，１０ＤＡの長手方向（つまり、Ｙ方向）の長さは、２０ｍｍ以下とすることが好ましく、マガジンホルダ２１に設ける突起２１Ｃ，２１Ｄの形状の安全性や強度及び突起２１Ｃ，２１Ｄとのクリアランスを考慮すると、長手方向（つまり、Ｙ方向）の長さは５ｍｍ以上とすることが好ましい。また挿入孔１０ＣＡ，１０ＤＡの長手方向に直交する方向での長さは２ｍｍ以上４ｍｍ以下が好ましい。
【００４８】
図５は、本実施形態のマガジンホルダ２１の正面側の斜視図である。図６は、本実施形態のマガジンホルダ２１の背面側の斜視図である。図７は、本実施形態のカードマガジン１０を収納するマガジンホルダ２１の背面側の斜視図である。
【００４９】
マガジンホルダ２１は、ホルダ本体２１Ｂと、ホルダ本体２１Ｂの上方に設けられた第２開口２１Ａと、背面側の側壁部に設けられた第２スリット２１０Ａと、突起２１Ｃ，２１Ｄと、カードマガジン１０のフラップ１０Ｃ，１０Ｄを保持するフラップ保持部２１１と、を有する。また、マガジンホルダ２１は、ホルダ保持台２２への装着のための構成である、回動軸部２１５及び固定軸部２１６を有する装着部２１Ｇと、持手部２１８と、ガイド突起部２１７と、を有する。このホルダ保持台２２への装着のための構成については後述する。
【００５０】
マガジンホルダ２１は、その上方に開口した第２開口２１Ａが設けられており、第２開口２１Ａを通してカードマガジン１０を収納することが可能となっている。マガジンホルダ２１がカードマガジン１０を収納した状態では、第２開口２１Ａが、上方に開口してカードマガジン１０の第１開口１０Ａを外部に露出させるようになっている。また、マガジンホルダ２１は、カードマガジン１０を収納した状態で第１スリット１００Ａ又は易開封性部１００に対向し、背面側に開口して且つ上下方向に延びる第２スリット２１０Ａが設けられており、第２スリット２１０Ａは第２開口２１Ａから下方に長尺状に延びている。
【００５１】
易開封性部１００が取り外されていないカードマガジン１０をマガジンホルダ２１に収納した際に、本実施形態では、第２スリット２１０Ａを通して易開封性部１００を取り外すことが可能になっている。ここで、第２スリット２１０Ａの上下方向の長さは、第１スリット１００Ａの上下方向の長さ以上でマガジン本体１０Ｂの第１スリット１００Ａが設けられた面の上下方向の長さ以下になっており、第２スリット２１０Ａの左右方向の長さは、第１スリット１００Ａの左右方向の長さ以上でマガジン本体１０Ｂの第１スリット１００Ａが設けられた面の左右方向の長さ以下になっている。つまり、カードマガジン１０がマガジンホルダ２１に挿入されたとき、背面視において、第１スリット１００Ａが第２スリット２１０Ａの内側の領域に含まれるようになっている。
【００５２】
なお、マガジン本体１０Ｂの第１スリット１００Ａが設けられた面の長さとは、当該面と対面した状態で当該面を見た際に、上下方向における当該面の端部間の寸法であり、マガジン本体１０Ｂの第１スリット１００Ａが設けられた面の左右方向の長さとは、左右方向における当該面の端部間の寸法である。
【００５３】
これにより、作業員は自身の手を第２スリット２１０Ａに通して易開封性部１００を容易に取り外すことができる。また、カードマガジン１０をマガジンホルダ２１に収納した後に易開封性部１００を取り外すことから、カードマガジン１０内のカードＣに汚れや傷がつくことを効果的に抑制できる。
【００５４】
マガジンホルダ２１は、上述の第２開口２１Ａを含むホルダ本体２１Ｂと、第２開口２１Ａの周縁から突出し、カードマガジン１０がマガジンホルダ２１に収納された際にカードマガジン１０の挿入孔１０ＣＡ，１０ＤＡに挿入される上述した一対の突起２１Ｃ，２１Ｄと、を有している。
【００５５】
マガジンホルダ２１もカードマガジン１０を収納する前の状態において第２開口２１Ａを上方に向けた状態で使用され得る。この際、マガジンホルダ２１のホルダ本体２１Ｂも有底筒状をなす。したがって、マガジンホルダ２１に関しても第２開口２１Ａが上方に向く状態を基準として、ホルダ本体２１Ｂにおいて第２開口２１Ａに対向して位置する床部を底床部と呼び、底床部から立ち上がり、その先端に第２開口２１Ａを有する壁部を側壁部と呼ぶものとする。また、正面側の側壁部、背面側の側壁部、左側面側の側壁部及び右側面側の側壁部を、それぞれ、正面側壁部、背面側壁部、左側壁部及び右側壁部と呼ぶものとする。
【００５６】
マガジンホルダ２１の側壁部は、横断面視でカードマガジン１０の側壁部より一回り大きい長方形状に形成され、側壁部の先端部分が形成する第２開口２１Ａの周縁も、一対の長辺部と、一対の長辺部の両端部を連結する一対の短辺部とで構成される。ここで、本実施形態では、第１スリット１００Ａ又は易開封性部１００が第２スリット２１０Ａに対向する状態でカードマガジン１０がマガジンホルダ２１に収納される状態が正規の収納向きとなる。しかし、マガジンホルダ２１に対しては、正規の向きとは反対の向きでもカードマガジン１０を収納することができ、その結果、本実施形態では誤装填の問題が生じ得る。
【００５７】
そこで、本実施形態では、図５から図７に示すように、上述した一対の突起２１Ｃ，２１Ｄが、第２開口２１Ａの中心Ｃ２から外れた位置を挟んで対向するように設けられている。すなわち、本実施形態では、一対の突起２１Ｃ，２１Ｄのうちの一方が第２開口２１Ａの周縁における一対の長辺部のうちの一方に設けられ、一対の突起２１Ｃ，２１Ｄのうちの他方が一対の長辺部のうちの他方に設けられる。図示された例では、マガジンホルダ２１の左側壁部及び右側壁部の上端部に突起２１Ｃ，２１Ｄが設けられている。そして各突起２１Ｃ，２１Ｄは、対応する長辺部の中点から同じ側に偏倚した位置（図示された例では、背面側方向に偏倚した位置）に設けられている。そしてカードマガジン１０における一対の挿入孔１０ＣＡ，１０ＤＡは、カードマガジン１０がマガジンホルダ２１に正規の収納向きで収納された際に、一対の突起２１Ｃ，２１Ｄが挿入可能となる位置に設けられている。
【００５８】
以上のような突起２１Ｃ，２１Ｄの構成により、本実施形態では誤装填の問題が抑制され得るとともに、突起２１Ｃ，２１Ｄを挿入孔１０ＣＡ，１０ＤＡに挿入することにより、カードマガジン１０をマガジンホルダ２１において安定的に保持できる。これにより、マガジンホルダ２１内のカードマガジン１０のずれが抑制されるため、後述するカード移送機構３０やカード移送機構３０で移送中のカードＣがカードマガジン１０に接触することを抑制できる。
【００５９】
また、本実施形態におけるマガジンホルダ２１のホルダ本体２１Ｂは、カードマガジン１０をマガジンホルダ２１に収納した状態でフラップ１０Ｄ，１０Ｃが折り曲げられて第１開口１０Ａを開口させた際に、フラップ１０Ｄ，１０Ｃが第１開口１０Ａを覆う位置まで移動しないようにフラップ１０Ｄ，１０Ｃを保持するフラップ保持部２１１を有する。
【００６０】
図５から図７に示すように、本実施形態におけるフラップ保持部２１１は、マガジンホルダ２１のホルダ本体２１Ｂの側壁部における突起２１Ｃが設けられる側の外壁面と突起２１Ｄが設けられる側の外壁面とに設けられている。フラップ保持部２１１は、下端部が外壁面に接続した面状の部材であり、対応する外壁面との間に、折り曲げられたフラップ１０Ｄ，１０Ｃの挿入空間を形成する。
【００６１】
本実施形態では、図７に示すように、フラップ保持部２１１によってフラップ１０Ｄ，１０Ｃが保持されることにより、後述するカード移送機構３０やカード移送機構３０で移送中のカードＣがフラップ１０Ｄ，１０Ｃに接触することを抑制できる。また、本実施形態では、フラップ１０Ｄ，１０Ｃがマガジンホルダ２１の外壁面に沿う状態で保持されるため、カードマガジン１０の占有スペースを抑制できる。なお、フラップ保持部２１１は特に限られるものではなく、例えばゴムバンド等であってもよい。
【００６２】
続いて、本実施形態のカード移送機構３０について説明する。
【００６３】
図８は、本実施形態のカード供給装置４０を概略的に示す正面図である。図９Ａ及び図９Ｂは、本実施形態のカード供給装置４０を概略的に示す縦断面図であり、図８のＡ−Ａ断面を示すものである。
【００６４】
カード移送機構３０は、複数のカード収納装置２０のうちの１つを選択し、そのカード収納装置２０のマガジンホルダ２１の外部から、後述のホルダ保持台２２の第３スリット２２０Ａ、第２スリット２１０Ａ及び第１スリット１００Ａを通して、カードマガジン１０の内部まで延び、カードＣを保持しつつ上方に移動することにより、保持したカードＣを第１開口１０Ａ及び第２開口２１Ａから取り出して、その後、カード搬送部５３に移送する。
【００６５】
カード移送機構３０は特に限られるものではないが、本実施形態におけるカード移送機構３０は、一例として、カードマガジン１０内の最上面のカードＣを吸着によって保持する保持吸着部３０Ａと、保持吸着部３０Ａを上下方向及び横方向に移動させる移動ステージ３０Ｂと、を有している。
【００６６】
図８、図９Ａ及び図９Ｂに示すように、移動ステージ３０Ｂは、板面が上下方向に平行となるようにカードプリンタ５０のフレーム又は筐体等に固定されるベースプレート３０１と、ベースプレート３０１上に固定され、横方向に延びる横方向レール３０２と、横方向レール３０２に移動自在に支持され、上下方向に延びる上下方向レール３０３と、上下方向レール３０３に移動自在に支持されたスライダ３０４とを有している。本実施形態では、移動ステージ３０Ｂがカードプリンタ５０の一部に支持されることになるが、カードプリンタ５０とは別の部分に支持されてもよい。
【００６７】
一方で、保持吸着部３０Ａは、スライダ３０４に支持されて且つ横方向レール３０２が延びる方向及び上下方向レール３０３が延びる方向の両方に直交する方向に延びるアーム３０５と、アーム３０５の先端部に固定されたサポート板３０６と、下方に吸着面を向けた状態でサポート板３０６に支持された吸着部３０７と、を有している。この構成により、吸着部３０７は、上下方向及び水平方向に移動可能となっている。吸着部３０７は、例えば、吸盤により構成される。
【００６８】
このようなカード移送機構３０は、上下方向レール３０３を横方向レール３０２上で横方向に移動させることにより、図９Ａに示すように、保持吸着部３０Ａのアーム３０５が第１スリット１００Ａ、第２スリット２１０Ａ及び後述のホルダ保持台２２の第３スリット２２０Ａの上方に位置し、且つ、サポート板３０６及び吸着部３０７が、選択されたカード収納装置２０のカードマガジン１０の第１開口１０Ａの上方に位置する状態となるように、保持吸着部３０Ａを移動させる。その後、図９Ｂに示すように、スライダ３０４を上下方向レール３０３上で下方に移動させることにより、カードマガジン１０内の最上面のカードＣを吸着部３０７で保持できる。ここで、吸着部３０７によって吸着されるカードＣの面は印刷を施されない面であるため、印刷不良の発生が抑制される。
【００６９】
その後、スライダ３０４を上下方向レール３０３上で上方に移動させることにより、保持吸着部３０Ａで保持したカードＣを第１開口１０Ａ及び第２開口２１Ａから取り出すことができる。そして、図８に示すように、上下方向レール３０３を横方向レール３０２上で横方向に移動させることにより、保持吸着部３０Ａで保持したカードＣをカード搬送部５３に移送することができる。
【００７０】
このように、本実施形態のカード収納装置２０及びカード移送機構３０を有するカード供給装置４０は、カード収納装置２０の外部から後述のホルダ保持台２２の第３スリット２２０Ａ、マガジンホルダ２１の第２スリット２１０Ａ及びカードマガジン１０の第１スリット１００Ａまで延び、カードマガジン１０に収納されたカードＣを保持しつつ上方に移動することにより、保持したカードＣをカードマガジン１０から取り出すことができる。そのため、カード移送機構３０を上下方向に大型化することなく、カードＣを適正にカードプリンタ５０へ移送できる。したがって、カードプリンタ５０に対しカードＣを容易にセットでき、且つ、大型化を抑制しながらカードＣをカードプリンタ５０に供給することが可能となる。
【００７１】
また、図９Ａ及び図９Ｂに示される符号３１は、光学センサを示している。光学センサ３１は保持吸着部３０Ａに配置されており、受光するカードＣの表面からの光と、カードＣが無くなった場合に受光する光との相違から、カードＣの有無を検出する。本実施形態では、カードマガジン１０の内部にカードＣとは異なる態様で光を乱反射又は吸収する底材１５が設けられ、底材１５の表面反射率はカードＣの表面反射率と異なっている。底材１５上にカードＣが積層されている。光学センサ３１は、本例では赤外線センサであるが、特に限られるものではない。この底材１５により、光学センサ３１によってカードＣの有無を検出する際の検出精度を向上させることができる。
【００７２】
底材１５は、赤外線吸収剤を有するものとすることによりカードＣとは異なる態様で光を吸収するようになっていてもよいし、表面粗さをカードＣよりも大きくすることによりカードＣとは異なる態様で光を乱反射させるようになっていてもよい。また、本実施形態では、カードＣの印刷を施される面が下を、すなわち底材１５側を向くが、底材１５があることでカードマガジン１０の底床部とカードＣとの接触による傷の発生を抑制できる。プラスチック製のカードマガジン１０は一般に、４つのフラップを折り込んで底床部が形成されるが、この場合、凹凸が生じる。このような凹凸とカードＣとの接触が底材１５によって回避されるため、カードＣに傷が発生することを抑制できる。
【００７３】
次に、本実施形態のホルダ保持台２２及びホルダ保持台２２へのマガジンホルダ２１の装着について説明する。
【００７４】
図１０は、本実施形態のホルダ保持台２２の右側面図である。図１１は、本実施形態のホルダ保持台２２を概略的に示す上面図である。図１２は、本実施形態のホルダ保持台２２にマガジンホルダ２１が装着された状態を示す右側面図である。図１３は、本実施形態のホルダ保持台２２にマガジンホルダ２１が装着された状態を示す背面図である。図１４は、本実施形態のマガジンホルダ２１がホルダ保持台２２に装着されている状態を概略的に示す底面図である。なお、図１１を含む以下の図面においては、マガジンホルダ２１のフラップ保持部２１１の記載が省略されている。
【００７５】
ホルダ保持台２２は、マガジンホルダ２１が、載置されることにより、保持されて装着されるホルダ保持部２２Ｇと、正面側に傾けて倒されたマガジンホルダ２１を、マガジンホルダ２１が所定の角度で傾いている状態で、支持するホルダ支持部２２３と、を有する。また、マガジンホルダ２１及びホルダ保持台２２に、マガジンホルダ２１の移動を規制するロック状態と、その規制が解除されたロック解除状態と、をとるロック機構が設けられている。
【００７６】
本実施形態のカード収納装置２０では、マガジンホルダ２１は、ホルダ保持台２２に保持されたときに、正面側に傾けて倒すことができるように構成されている。そのため、マガジンホルダ２１の装着部２１Ｇは、マガジンホルダ２１がホルダ保持台２２に保持されたときに、マガジンホルダ２１を、その正面側下方端部に設けられた回動軸を中心として回動させることにより、正面側に傾けて倒すことができるように構成されている。そして、ホルダ保持部２２Ｇは、保持されたマガジンホルダ２１を、マガジンホルダ２１の正面側下方端部に設けられた回動軸を中心として回動させることによって、正面側に傾けて倒すことができるように構成されている。
【００７７】
図示された例では、マガジンホルダ２１の装着部２１Ｇは、回動軸部２１５と、固定軸部２１６と、を有している。そして、ホルダ保持台２２のホルダ保持部２２Ｇは、マガジンホルダ２１の回動軸部２１５を受ける回動軸受部２２１と、マガジンホルダ２１の固定軸部２１６を受ける固定軸受部２２２と、を有している。
【００７８】
マガジンホルダ２１の回動軸部２１５は、マガジンホルダ２１の底床部の正面側の下方に設けられた、左右方向に延びる柱状の部材である。ホルダ保持台２２の回動軸受部２２１は、ホルダ保持台２２に保持されたマガジンホルダ２１の回動軸部２１５の両端部のそれぞれの近傍（より具体的には、端部からわずかに中央側に寄った位置）の下方に位置する箇所に設けられている。回動軸受部２２１は、ＹＺ平面に平行な壁状の部材であって、上端部に半円状の凹部を有する。この半円状の凹部は、マガジンホルダ２１の回動軸部２１５の半径よりもわずかに大きな曲率半径を有している。そして、マガジンホルダ２１がホルダ保持台２２に保持されたとき、ホルダ保持台２２の回動軸受部２２１は、その半円状の凹部とマガジンホルダ２１の回動軸部２１５とが嵌合することにより、マガジンホルダ２１の回動軸部２１５を受けることになる。
【００７９】
マガジンホルダ２１の固定軸部２１６は、マガジンホルダ２１の底床部の背面側の下方に設けられた、左右方向に延びる柱状の部材である。ホルダ保持台２２の固定軸受部２２２は、ホルダ保持台２２に保持されたマガジンホルダ２１の固定軸部２１６の両端部のそれぞれの近傍（より具体的には、端部からわずかに中央側に寄った位置）の下方に位置する箇所に設けられている。固定軸受部２２２は、ＹＺ平面に平行な壁状の部材であって、上端部に半円状の凹部を有する。この半円状の凹部は、マガジンホルダ２１の固定軸部２１６の半径よりもわずかに大きな曲率半径を有している。そして、マガジンホルダ２１がホルダ保持台２２に保持されたとき、ホルダ保持台２２の固定軸受部２２２は、その半円状の凹部とマガジンホルダ２１の固定軸部２１６とが嵌合することにより、マガジンホルダ２１の固定軸部２１６を受けることになる。
【００８０】
このように、本実施形態のホルダ保持部２２Ｇは、回動軸部２１５の両端部付近の２か所及び固定軸部２１６の両端部付近の２か所の合計４か所で、マガジンホルダ２１の装着部２１Ｇを受けるので、保持されたマガジンホルダ２１を安定的に保持することができる。さらに、マガジンホルダ２１の回動軸部２１５とホルダ保持台２２の回動軸受部２２１とを有する構成により、ホルダ保持台２２に保持されたマガジンホルダ２１は、持手部２１８を持って正面側に力を加えることにより、容易に、回動軸部２１５を中心として回動させること、つまり、正面側に傾けて倒すことができるようになっている。
【００８１】
また、本実施形態のホルダ保持台２２は、ホルダ保持部２２Ｇの左側、右側及び背面側（つまり、正面側以外の側）に設けられた側壁部２２Ｆと、背面側の側壁部２２Ｆに設けられた第３スリットと、左右の側壁部２２Ｆに設けられたにガイド突起受部２２４と、を有する。
【００８２】
背面側の側壁部２２Ｆに設けられた第３スリット２２０Ａは、カード移送機構３０のアーム３０５が、そのカード収納装置２０の外部から、ホルダ保持台２２の第３スリット２２０Ａ、マガジンホルダ２１の第２スリット２１０Ａ及びカードマガジン１０の第１スリット１００Ａを通して、カードマガジン１０の内部まで延びるとともに、上下方向に移動できるようにするために設けられている。そのため、第３スリット２２０Ａの上下方向の長さは、第２スリットの上下方向の長さ以上になっており、第３スリット２２０Ａの左右方向の長さは、第２スリット２１０Ａの左右方向の長さ以上になっている。つまり、背面視において、第２スリット２１０Ａが第３スリット２２０Ａの内側の領域に含まれるようになっている。
【００８３】
左右の側壁部２２Ｆに設けられたにガイド突起受部２２４は、マガジンホルダ２１がその正面側下方端部に設けられた回動軸を中心として回動するときにガイド突起部２１７が描く円弧状の軌道と重なる溝として構成されている。このガイド突起受部２２４及びマガジンホルダ２１のガイド突起部２１７により、保持されたマガジンホルダ２１を正面側に傾けて倒すことと、マガジンホルダ２１をホルダ保持台２２へ保持することと、が容易にできるようになっている。
【００８４】
図１５は、本実施形態のカード収納装置２０のロック機構２３を概略的に示す斜視図である。図１５の上図はロック状態を示し、下図はロック解除状態を示している。
【００８５】
ロック機構２３は、板状の基材部２３０と、基材部２３０の正面側端部に設けられたロック解除レバー２３３と、マガジンホルダ２１の回動軸部２１５を係止する２つ第１フック部２３１と、マガジンホルダ２１の固定軸部２１６を係止する２つの第２フック部２３２と、ホルダ保持台２２本体と基材部２３０とをつなぎ、ロック機構２３がロック状態をとるように基材部を付勢する付勢ばね２３４と、を有する。
【００８６】
待機状態においては、図１５の上図に示すように、ロック機構２３の基材部２３０が付勢ばね２３４によって正面側（つまり、−Ｙ方向）に付勢されており、第１フック部２３１及び第２フック部２３２は、それぞれマガジンホルダ２１の回動軸部２１５及び固定軸部２１６に嵌合することにより、回動軸部２１５及び固定軸部２１６を係止している状態となる。つまり、待機状態では、ロック機構２３は、マガジンホルダ２１の移動を規制するロック状態をとる。
【００８７】
待機状態からロック解除レバー２３３を背面側（つまり、Ｙ方向）に押し込むと、図１５の下図に示すように、ロック機構２３の基材部２３０も背面側に移動し、第１フック部２３１及び第２フック部２３２は、それぞれマガジンホルダ２１の回動軸部２１５及び固定軸部２１６から外れた位置に移動し、回動軸部２１５及び固定軸部２１６を係止していない状態となる。つまり、ロック解除レバー２３３を背面側に押し込んでいる状態では、ロック機構２３は、マガジンホルダ２１の移動の規制が解除されたロック解除状態をとる。そして、ロック解除レバー２３３から手を離すと、ロック機構２３の基材部２３０が付勢ばね２３４によって正面側（つまり、−Ｙ方向）に移動し、待機状態に戻ることになる。
【００８８】
また、ロック機構２３の第１フック部２３１及び第２フック部２３２は、その上部に正面側から背面側に向かって上昇する傾斜部２３１ａ，２３２ａを有している。この傾斜部２３１ａ，２３２ａは、ロック機構２３の待機状態においてマガジンホルダ２１がホルダ保持台２２に保持されるときに、第１フック部２３１の傾斜部２３１ａにマガジンホルダ２１の回動軸部２１５が接触し、第２フック部２３２の傾斜部２３２ａにマガジンホルダ２１の固定軸部２１６が接触するように設けられている。
【００８９】
これにより、ロック機構２３の待機状態においてマガジンホルダ２１がホルダ保持台２２に保持されるときに、下方に移動する回動軸部２１５及び固定軸部２１６によって、正面側から背面側に向かって上昇する傾斜部２３１ａ，２３２ａに下方向の力が働き、傾斜部２３１ａ，２３２ａが設けられた第１フック部２３１及び第２フック部２３２は、背面側に移動することになる。第１フック部２３１及び第２フック部２３２に接触した回動軸部２１５及び固定軸部２１６が、さらに下方に移動して、第１フック部２３１及び第２フック部２３２が嵌合できる位置までくると、第１フック部２３１及び第２フック部２３２は、付勢ばね２３４の付勢によって、待機状態の位置に戻り、回動軸部２１５及び固定軸部２１６を係止している状態となる。つまり、ロック機構２３は、マガジンホルダ２１がホルダ保持台２２に保持されるときに自動的にロック状態となるように構成されている。
【００９０】
図１６Ａ及び図１６Ｂは、本実施形態のカード収納装置２０においてマガジンホルダ２１を正面側に傾けて倒す動作を示す右側面図である。
【００９１】
ホルダ保持台２２に保持されたマガジンホルダ２１を正面側に傾けて倒すときは、まずは、図１６Ａに示すように、ロック解除レバー２３３を正面側に押し込んでロック機構２３をロック解除状態とし、その状態で、マガジンホルダ２１を、その回動軸部２１５を中心に回動させることにより、正面側にわずかに傾ける。次に、ロック解除レバー２３３の押し込みをやめて、ロック機構２３をロック状態とする。
【００９２】
次に、図１６Ｂに示すように、マガジンホルダ２１を、その回動軸部２１５を中心に回動させることにより、マガジンホルダ２１がホルダ保持台２２のホルダ支持部２２３に接触するまで正面側に傾ける。
【００９３】
このとき、マガジンホルダ２１の回動軸部２１５はロック機構２３の第１フック部２３１により係止されていることから、マガジンホルダ２１に余計な上方への力が加えられた場合であっても、回動軸部２１５がホルダ保持台２２の回動軸受部２２１から外れることが防止される。
【００９４】
ホルダ保持台２２のホルダ支持部２２３は、傾けて倒されたマガジンホルダ２１を、マガジンホルダ２１が所定の角度で傾いている状態で、安定的に支持する。本実施形態のホルダ支持部２２３は、正面側から背面側に向かって下降するように傾けて配置された板状の部材であり、マガジンホルダ２１が接触する面にポリテトラフルオロエチレンのテープなどにより構成された低摩擦部を有している。なお、ホルダ支持部２２３は、板状の部材に限定されず、例えば棒状の部材を平行に並べた部材などであってもよい。
【００９５】
ホルダ支持部２２３に支持されているマガジンホルダ２１の傾きの所定の角度は、マガジンホルダ２１が安定的に支持されるとともに、後述のカードマガジン１０のマガジンホルダ２１への挿入がしやすくなるように設定される。この観点から、ホルダ支持部２２３に支持されているマガジンホルダ２１の傾きの所定の角度は、側面視での垂直方向からの角度（つまり、Ｘ方向からの観察におけるＺ方向からの角度）が、３０度以上、４０度以下となるように設定されることが好ましい。
【００９６】
図１７は、本実施形態のカード収納装置２０にカードマガジン１０を装着する態様を示す右側面図である。
【００９７】
カード収納装置２０にカードマガジン１０を装着するときは、まずは、前述のとおり、ホルダ保持台２２に保持されたマガジンホルダ２１を傾けて倒し、ホルダ保持台２２のホルダ支持部２２３に支持させる。
【００９８】
次に、カードＣを積層して収納したカードマガジン１０を準備し、第１開口１０Ａが開口するようにフラップ１０Ｄ，１０Ｃを開いた状態で、そのカードマガジン１０を、斜め上方から、マガジンホルダ２１の第２開口２１Ａを通してマガジンホルダ２１内に挿入して収納する。ここで、前述のとおり、マガジンホルダ２１の突起２１Ｃが、フラップ１０Ｃに設けられた挿入孔１０ＣＡに挿入され、マガジンホルダ２１の突起２１Ｄが、フラップ１０Ｄに設けられた挿入孔１０ＤＡに挿入される。また、前述のとおり、フラップ１０Ｄ，１０Ｃは、マガジンホルダ２１のフラップ保持部２１１に保持される。
【００９９】
次に、マガジンホルダ２１の第２スリット２１０Ａを通してカードマガジン１０の易開封性部１００が把持され、易開封性部１００が取り外される。これにより、図７に示すように、マガジン１０に第１スリット１００Ａが形成される。
【０１００】
次に、マガジンホルダ２１を、背面側に押し込むことによって、傾けて、再び、マガジンホルダ２１をホルダ保持台２２に保持させことで、カード収納装置２０へのカードマガジン１０の装着が完了する。このとき、前述のとおり、カード収納装置２０のロック機構２３は、自動的にロック状態となる。
【０１０１】
また、カード収納装置２０からカードマガジン１０を取り外すときは、まずは、前述のとおり、ホルダ保持台２２に保持されたマガジンホルダ２１を傾けて倒し、ホルダ保持台２２のホルダ支持部２２３に支持させる。そして、その状態で、マガジンホルダ２１からカードマガジン１０を斜め上方に引き抜くことにより、カード収納装置２０からカードマガジン１０を取り外す。このとき、カードマガジン１０は、その第１スリット１００Ａが上方を向いた状態で、斜め上方に引き出されることになる。そのため、カードマガジン１０内にカードＣが残っている場合であっても、カードマガジン１０のたわみなどの変形により第１スリット１００ＡからカードＣが抜け出して散らばってしまうことを防止することができる。
【０１０２】
このように、本実施形態のカード収納装置２０は、マガジンホルダ２１に容易にアクセスでき、且つ、マガジンホルダ２１をガイドとして、カードマガジン１０を容易で安全確実に着脱できるようになっている。また、本実施形態のカード収納装置２０は、カードマガジン１０をマガジンホルダ２１に収納した後、マガジンホルダ２１を背面側に押し込むだけで自動的にロックがかかり、マガジンホルダ２１がホルダ保持台２２に確実に固定されるようになっている。さらに、本実施形態のカード収納装置２０は、カードマガジン１０をマガジンホルダ２１に斜め上方から挿入することにより取り付けるものであり、従来のカードプリンタのカード収納装置において必要であった反転の作業を行うことなく、カードマガジン１０をカード収納装置２０に装着できる。
【０１０３】
図１８Ａ及び図１８Ｂは、本実施形態のカード収納装置２０からマガジンホルダ２１を取り外す態様を示す右断面図である。
【０１０４】
カード収納装置２０からマガジンホルダ２１を取り外すときは、まずは、前述のとおり、ホルダ保持台２２に保持されたマガジンホルダ２１を傾けて倒し、ホルダ保持台２２のホルダ支持部２２３に支持させる。
【０１０５】
次に、図１６Ａに示すように、ロック解除レバー２３３を正面側に押し込んでロック機構２３をロック解除状態とし、その状態で、マガジンホルダ２１を、ホルダ保持台２２のホルダ支持部２２３に沿って斜め上方にわずかに移動させる。次に、ロック解除レバー２３３の押し込みをやめて、ロック機構２３をロック状態とする。
【０１０６】
そして、図１８Ｂに示すように、マガジンホルダ２１を、ホルダ保持台２２のホルダ支持部２２３に沿って斜め上方に滑らせて移動させることにより、カード収納装置２０からマガジンホルダ２１を取り外す。このとき、前述のとおり、ホルダ保持台２２のホルダ支持部２２３は低摩擦部を有していることから、マガジンホルダ２１を滑りよく取り外すことができるとともに、マガジンホルダ２１がホルダ支持部２２３との摩擦により傷つくことも防止される。
【０１０７】
このように、本実施形態のカード収納装置２０は、マガジンホルダ２１を容易に取り外すことができ、メンテナンスなどの作業性向上に寄与するものとなっている。
【０１０８】
図１９Ａ及び図１９Ｂは、本実施形態のカード収納装置２０のより詳細な構成を示す右側面図である。
【０１０９】
本実施形態のカード収納装置２０のホルダ保持台２２は、さらに、ホルダ保持台２２にマガジンホルダ２１が保持されているか否かを検知するホルダ保持状態検知部２２５と、ホルダ保持台２２にマガジンホルダ２１が適切に保持されているか否かを示す情報を表示するホルダ保持状態表示部２２６と、ホルダ保持台２２の左右の側壁部に配置され、ホルダ保持台２２に保持されたマガジンホルダ２１のガイド突起部２１７を、上方から下方へ力を作用させて、抑えるガイド突起抑え部２２７と、を有している。
【０１１０】
ホルダ保持状態検知部２２５は、図示された例では、受光部と発光部とを有し、受光部と発光部との間の障害物の存在を検知する光学センサにより構成されている。この光学センサは、図１９Ａに示すように、受光部と発光部とを結ぶ直線が、ホルダ保持台２２に保持されたマガジンホルダ２１の底床部と背面側壁部との接続部付近において、マガジンホルダ２１と交差するように配置されている。これにより、図１９Ｂに示すように、マガジンホルダ２１が正面側に傾いたとき、光学センサの受光部と発光部とを結ぶ直線がマガジンホルダ２１と交差しない状態となり、光学センサは、マガジンホルダ２１が適切な保持状態から外れていることを検知することができる。
【０１１１】
ホルダ保持状態表示部２２６は、図示された例では、ＬＥＤなどの発光素子により構成されている。そして、この発光素子により構成されたホルダ保持状態表示部２２６は、例えば、ホルダ保持台２２にマガジンホルダ２１が適切に保持されている場合に発光状態をとり、ホルダ保持台２２にマガジンホルダ２１が適切に保持されていない場合に非発光状態をとるようなものとすることが考えられる。
【０１１２】
ガイド突起抑え部２２７は、正面側から背面側に向かう方向に長辺を有する長尺状の部材であり、その中央部付近に配置された回動軸２２７ａを中心に回動することができるようになっている。ガイド突起抑え部２２７は、その回動軸２２７ａよりも正面側の下部に、マガジンホルダ２１のガイド突起部２１７に上方から嵌合することのできる円弧状の凹部２２７ｂを有している。また、ガイド突起抑え部２２７は、その回動軸２２７ａよりも背面側の箇所に、付勢ばね２２７ｃの一端が固定されている。この付勢ばね２２７ｃの他端は、ホルダ保持台２２の側壁部のガイド突起抑え部２２７よりも上方にある箇所に固定されている。この付勢ばね２２７ｃにより、ガイド突起抑え部２２７の回動軸２２７ａよりも背面側は上方に付勢され、ガイド突起抑え部２２７の回動軸２２７ａよりも正面側は下方に付勢されている。
【０１１３】
これにより、マガジンホルダ２１がホルダ保持台２２に保持された状態において、ガイド突起抑え部２２７は、マガジンホルダ２１のガイド突起部２１７を、上方から下方へ力を作用させて、抑えるようになっている。また、ガイド突起抑え部２２７の円弧状の凹部２２７ｂの円弧の中心よりも正面側の部分は、背面側から正面側に向かって下降する傾斜となっており、マガジンホルダ２１を正面側に傾けたときに、その部分に当接したガイド突起部２１７から上方へ作用する力を受けて、ガイド突起抑え部２２７の回動軸２２７ａよりも正面側が上方に移動することになる。このとき、その反作用により、マガジンホルダ２１のガイド突起部２１７にも、マガジンホルダ２１を正面側に傾けることに対向する力が作用することになる。これにより、マガジンホルダ２１を正面側に傾けるために、一定の強さを超える力が必要となり、マガジンホルダ２１がより安定してホルダ保持台２２に保持されるようになっている。
【０１１４】
また、ガイド突起抑え部２２７の正面側の端部は、正面側から背面側に向かって下降する傾斜部２２７ｄとなっている。そのため、マガジンホルダ２１をホルダ保持台２２に保持するとき、その傾斜部２２７ｄがガイド突起抑え部２２７の傾斜部２２７ｄに当接したマガジンホルダ２１のガイド突起部２１７から上方へ作用する力を受けて、ガイド突起抑え部２２７の回動軸２２７ａよりも正面側は、上方に移動することになる。その後、マガジンホルダ２１のガイド突起部２１７がガイド突起抑え部２２７の円弧状の凹部２２７ｂに嵌合することができる位置までくると、付勢ばね２２７ｃの付勢力によって、ガイド突起抑え部２２７の回動軸２２７ａよりも正面側が下方に移動し、ガイド突起抑え部２２７の円弧状の凹部２２７ｂがマガジンホルダ２１のガイド突起部２１７に嵌合した状態となる。
【０１１５】
次に、本発明のカード収納装置２０の変形例について説明する。
【０１１６】
本実施形態のホルダ保持台２２は、ホルダ保持部２２Ｇの右側、左側及び背面側に設けられた側壁部２２Ｆと、左右の側壁部２２Ｆに設けられたにガイド突起受部２２４と、を有するものであるが、本発明のホルダ保持台２２は、これらのすべて又は一部を有しないものであってもよい。ただし、マガジンホルダ２１の安定的な支持などの観点から、本発明のホルダ保持台２２は、これらのすべて又は一部を有するものが好ましい。なお、背面側の側壁部２２Ｆを有しないものとした場合には、第３スリット２２０Ａを設けることができないが、背面側が解放された状態となるので、第３スリット２２０Ａは不要となる。
【０１１７】
本実施形態のマガジンホルダ２１の回動軸部２１５は、床底部の正面側端部の下方に設けられているが、本発明のマガジンホルダ２１の回動軸部２１５は、これに限定されず、床底部の正面側端部の正面側方向に設けられていてもよい。ただし、水平方向の占有スペースなどの観点から、本発明のマガジンホルダ２１の回動軸部２１５は、本実施形態のように、床底部の正面側端部の下方に設けられることが好ましい。
【０１１８】
本実施形態のロック機構２３は、２つの第１フック部２３１と２つの第２フック部２３２とを有するものであるが、本発明のロック機構２３は、これに限定されず、１つ又は３つ以上の第１フック部２３１と、１つ又は３つ以上の第１フック部２３２と、を有するものであってもよい。
【０１１９】
また、本発明のロック機構２３は、マガジンホルダ２１の回動軸部２１５を係止する第１フック部２３１を設けずに、フック部として、マガジンホルダ２１の固定軸部２１６を係止する第２フック部２３２のみを有するものとしてもよい。つまり、本発明のロック機構２３は、少なくとも、ホルダ保持台２２に保持されたマガジンホルダ２１の正面側下方端部に設けられた回動軸を中心とした回動を規制するものであればよい。
【０１２０】
本実施形態のホルダ保持台２２の回動軸受部２２１は、マガジンホルダ２１の回動軸部２１５と嵌合する半円状の凹部を有し、マガジンホルダ２１の回動軸部２１５を上方に移動させることができるように構成されているが、本発明のホルダ保持台２２の回動軸受部２２１は、これに限定されず、マガジンホルダ２１の回動軸部２１５が貫通する円状の孔部を有し、マガジンホルダ２１の回動軸部２１５を上方に移動させることができないように構成されたものであってもよい。ただし、メンテナンスなどの作業性の観点から、本発明のホルダ保持台２２の回動軸受部２２１は、本実施形態のように、マガジンホルダ２１の回動軸部２１５と嵌合する半円状の凹部を有し、マガジンホルダ２１の回動軸部２１５を上方に移動させることができるように構成されたものであることが好ましい。
【０１２１】
本実施形態のカード収納装置２０では、マガジンホルダ２１に回動軸部２１５を有し、ホルダ保持台２２に回動軸受部２２１を有しているが、本発明カード収納装置２０は、そのようなものに限定されず、マガジンホルダ２１が、その底床部の正面側下方端部に設けられた回動軸を中心として回動するものであればよい。例えば、ホルダ保持台２２に回動軸部を有し、マガジンホルダ２１に回動軸受部を有するものであってもよい。
【０１２２】
本実施形態のマガジンホルダ２１の装着部２１Ｇは、回動軸部２１５及び固定軸部２１６を有するものであるが、本発明のマガジンホルダ２１の装着部２１Ｇは、これに限定されず、固定軸部２１６を設けずに、回動軸部２１５と、ホルダ保持台２２のホルダ保持部２２Ｇと接触する接触部と、ロック機構２３の第２フック部２３２が嵌合する溝などからなるフック受部と、を有するものであってもよい。ただし、保持の安定性及び構成の簡易さなどの観点から、本発明のマガジンホルダ２１の装着部２１Ｇは、本実施形態のように、回動軸部２１５及び固定軸部２１６を有するものが好ましい。
【０１２３】
本実施形態のカード供給装置４０は、カード収納装置２０の外部から第３スリット２２０Ａ、第２スリット２１０Ａ及び第１スリット１００Ａを通してカードマガジン１０まで延びるアーム３０５と、アーム３０５の先端に設けられ、カードＣを吸着する吸着部３０７を有し、吸着部３０７が上下方向及び水平方向に移動可能なカード移送機構３０を有するものであるが、本発明のカード供給装置４０は、そのようなものに限定されず、カード収納装置２０の外部からカードＣを吸着する吸着部３０７を有し、吸着部３０７が上下方向及び水平方向に移動可能なカード移送機構３０を有するものであればよい。
【０１２４】
以上に説明したとおり、本実施形態のカードプリンタによれば、カードプリンタ５０に対しカードＣを容易にセットでき、且つ、装置の大型化を抑制しながらカードＣをカードプリンタ５０に供給することが可能となる。
【０１２５】
以上、本発明の実施の形態を説明したが、本発明は、上述の実施の形態に限られるものではなく、各実施の形態においては種々の変更を加えることができる。
【符号の説明】
【０１２６】
Ｃ  カード
１０  カードマガジン
１０Ａ  第１開口
１０Ｂ  マガジン本体
１０Ｃ  フラップ（蓋）
１０ＣＡ  挿入孔
１０Ｄ  フラップ
１０ＤＡ  挿入孔
１００  易開封性部
１００Ａ  第１スリット
１５  底材
２０  カード収納装置
２１  マガジンホルダ
２１Ａ  第２開口
２１Ｂ  ホルダ本体
２１Ｃ  突起
２１Ｄ  突起
２１Ｇ  装着部
２１０Ａ  第２スリット
２１１  フラップ保持部
２１５  回動軸部
２１６  固定軸部
２１７  ガイド突起部
２１８  持手部
２２  ホルダ保持台
２２Ｆ  側壁部
２２Ｇ  ホルダ保持部
２２１  回動軸受部
２２２  固定軸受部
２２３  ホルダ支持部
２２４  ガイド突起受部
２２５  ホルダ保持状態検知部
２２６  ホルダ保持状態表示部
２２７  ガイド突起抑え部
２２７ａ  回動軸
２２７ｂ  凹部
２２７ｃ  付勢ばね
２２７ｄ  傾斜部
２２０Ａ  第３スリット
２３  ロック機構
２３０  基材部
２３１  第１フック部
２３１ａ  傾斜部
２３２  第２フック部
２３２ａ  傾斜部
２３３  ロック解除レバー
２３４  付勢ばね
３０  カード移送機構
３０Ａ  保持吸着部
３０５  アーム
３０６  サポート板
３０７  吸着部
３０Ｂ  移動ステージ
３０１  ベースプレート
３０２  横方向レール
３０３  上下方向レール
３０４  スライダ
３１  光学センサ
４０  カード供給装置
５０  カードプリンタ
５３  カード搬送部
５４  カード反転装置
５５  情報印刷部
５５ａ  昇華印刷ユニット
５５ｂ  溶融印刷ユニット
５６  透明保護層付与部
【図１】
2020129194.tif 000003
【図２】
2020129194.tif 000004
【図３】
2020129194.tif 000005
【図４】
2020129194.tif 000006
【図５】
2020129194.tif 000007
【図６】
2020129194.tif 000008
【図７】
2020129194.tif 000009
【図８】
2020129194.tif 000010
【図９Ａ】
2020129194.tif 000011
【図９Ｂ】
2020129194.tif 000012
【図１０】
2020129194.tif 000013
【図１１】
2020129194.tif 000014
【図１２】
2020129194.tif 000015
【図１３】
2020129194.tif 000016
【図１４】
2020129194.tif 000017
【図１５】
2020129194.tif 000018
【図１６Ａ】
2020129194.tif 000019
【図１６Ｂ】
2020129194.tif 000020
【図１７】
2020129194.tif 000021
【図１８Ａ】
2020129194.tif 000022
【図１８Ｂ】
2020129194.tif 000023
【図１９Ａ】
2020129194.tif 000024
【図１９Ｂ】
2020129194.tif 000025